(57)【特許請求の範囲】
【請求項１】
１枚のブランクシートを折って、四角形の底壁と、該底壁の四辺に沿って立設する４つの周壁と、該４つの周壁の対向する一対の周壁に該周壁の上端から折れ曲がって外方へ延びる翼片部とを接着手段を用いることなく一連に設けた折畳式紙器を、上面が開口する箱形で内部が縦横に交差する仕切壁で均等な小間に仕切られた溶液保管用の収納容器の仕切壁又は仕切壁と外周壁で仕切られた小間に嵌め込み、前記一対の翼片部を前記仕切壁間又は仕切壁と外周壁を覆うように被せてマスキングしうる折畳式紙器において、
折畳式紙器が、折畳時にはいずれか一方の翼片部がこれに連なる周壁の外側に折り重ねられ、
いずれか他方の翼片部に連なる周壁は底壁上に重なるように折り畳まれ、他方の翼片部はこれに連なる周壁の上に折り返され、前記一方の翼片部に連なる周壁が他方の翼片部およびこれに連なる周壁の上に折り重ねられ、
上記翼片部に連なる周壁間の翼片部を有しない周壁は前記他方の翼片部に連なる周壁が底壁上に折り畳まれる際に連動して内側に半分に折り込まれ、一方の翼片部に連なる周壁と重なる際に前記半分の折り込まれた周壁は更に半分に折り込まれて外方へ突出するようになっていることを特徴とする折畳式紙器。
【請求項２】
折畳式紙器が、１枚の正方形又は長方形のブランクシートに折り目を形成しており、該折り目が、ブランクシートを横方向に３つに分ける第１縦線および第２縦線と、縦方向に５つに分ける第１横線から第４横線とを有しており、
ブランクシートの上辺と第１横線の間を一方の翼片部形成部とし、ブランクシートの下辺と第４横線の間を他方の翼片部形成部とし、
第２横線と第３横線の間で第１縦線と第２縦線で囲まれた部分を底壁形成部とし、第２横線と第３横線の間でブランクシートの左辺と第１縦線で囲まれた部分と、ブランクシートの右辺と第２縦線で囲まれた部分を、それぞれ翼片部を有しない一対の周壁形成部とし、
第１横線と第２横線の間で、第１縦線と第２縦線で囲まれた部分を一方の翼片部を有する一方の周壁の内面形成部とし、ブランクシートの左辺と第１縦線で囲まれた部分およびブランクシートの右辺と第２縦線で囲まれた部分を上記一方の周壁の外面形成部とし、
第３横線と第４横線の間で、第１縦線と第２縦線で囲まれた部分を他方の翼片部を有する他方の周壁の内面形成部とし、ブランクシートの左辺と第１縦線で囲まれた部分およびブランクシートの右辺と第２縦線で囲まれた部分を上記他方の周壁の外面形成部とし、
前記一方の周壁の外面形成部には、第１横線の左端から第２横線と第１縦線の交点に向かう対角線に沿った折り線、第１横線の右端から第２横線と第２縦線の交点に向かう対角線に沿った折り線を形成し、
前記他方の周壁の外面形成部には、第４横線の左端から第３横線と第１縦線の交点に向かう対角線に沿った折り線、第４横線の右端から第３横線と第２縦線の交点に向かう対角線に沿った折り線を形成し、
前記翼片部を有しない一対の周壁形成部にはクロス状に２本の対角折線を形成してなることを特徴とする請求項１に記載の折畳式紙器。
【請求項３】
折畳式紙器の内面に相当するブランクシートの少なくとも一側が、耐水性又は耐油性を有することを特徴とする請求項１または２に記載の折畳式紙器。
【発明の詳細な説明】
【技術分野】
【０００１】
この発明は、接着剤などの溶剤を分けて仮保管する収納容器に用いる折畳式紙器に関する。
【背景技術】
【０００２】
従来、接着剤や溶剤の使用に際して、小分けして仮保管するために、図１７（ｂ）に示すように縦及び横に延びる仕切壁１２を交差して多数の上面が開口した箱形の小間１３を設けた収納容器１０が使用されている。
この収納容器１０の各小間１３内には、図１７（ａ）に示すように上面が開口した箱形の簡易紙器２１を嵌め込んで使用していた。
従来の簡易紙器２１は、図１６の展開されたブランクシート２１’に示すように、１枚のグラシン紙（内面にシリコンを塗布したもの）に図中点線で示す折り目を付け、該折り目に沿って折り、重ね合わせ個所を接着テープ２２で貼り付けて、上面が開口する略立方体の箱形の簡易紙器２１として使用に供していた。
上記簡易紙器２１では、ブランクシート２１’のコーナーの端面加工が必要となり、また特殊形状であるため歩留まりが悪い。
また、簡易紙器２１を組み立てる際には接着テープ２２の貼付作業が２個所必要となり、収納する溶剤が固化した場合は、前記接着テープ２２を剥離する作業が必要となり手間がかかる。
更に、簡易紙器２１はボックス型なので小間１３内に嵌め込んでも前記収納容器２１の仕切壁１２や外壁１１には保管用の溶剤が付着しないようにマスキング材（図示せず）をセットしたり離型したりする必要があった。
一方、簡易折畳紙器として特開２００７−２９７１３５が開示されているが、この簡易折畳紙器を従来のように用いたとしても、同様に収納容器にマスキング材を設ける必要があった。
【先行技術文献】
【特許文献】
【０００３】
【特許文献１】特開２００７−２９７１３５号公報
【発明の概要】
【発明が解決しようとする課題】
【０００４】
この発明は、上記事情に鑑みて創案されたものであって、その主たる課題は、１枚のブランクシートを折るだけで、接着テープを用いずに箱型を形成することができ、また収納容器の仕切壁や外壁への溶剤の付着を防止することができる折畳式紙器を提供することにある。
この発明の別の課題は、不使用時には重ねて折畳むことで保管場所の省スペースを図ることができ、折畳状態から箱形への展開を容易に行うことができるようにした折畳式紙器を提供することにある。
【課題を解決するための手段】
【０００５】
この発明は、上記課題を解決するために、請求項１の発明では、
１枚のブランクシートを折って、四角形の底壁と、該底壁の四辺に沿って立設する４つの周壁と、該４つの周壁の対向する一対の周壁に該周壁の上端から折れ曲がって外方へ延びる翼片部とを接着手段を用いることなく一連に設けた折畳式紙器を、上面が開口する箱形で内部が縦横に交差する仕切壁で均等な小間に仕切られた溶液保管用の収納容器の仕切壁又は仕切壁と外周壁で仕切られた小間に嵌め込み、前記一対の翼片部を前記仕切壁間又は仕切壁と外周壁を覆うように被せてマスキングしうる折畳式紙器において、
折畳式紙器が、折畳時にはいずれか一方の翼片部がこれに連なる周壁の外側に折り重ねられ、
いずれか他方の翼片部に連なる周壁は底壁上に重なるように折り畳まれ、他方の翼片部はこれに連なる周壁の上に折り返され、前記一方の翼片部に連なる周壁が他方の翼片部およびこれに連なる周壁の上に折り重ねられ、
上記翼片部に連なる周壁間の翼片部を有しない周壁は前記他方の翼片部に連なる周壁が底壁上に折り畳まれる際に連動して内側に半分に折り込まれ、一方の翼片部に連なる周壁と重なる際に前記半分の折り込まれた周壁は更に半分に折り込まれて外方へ突出するようになっていることを特徴とする。
また、請求項２の発明では、
前記折畳式紙器が、１枚の正方形又は長方形のブランクシートに折り目を形成しており、該折り目が、ブランクシートを横方向に３つに分ける第１縦線および第２縦線と、縦方向に５つに分ける第１横線から第４横線とを有しており、
ブランクシートの上辺と第１横線の間を一方の翼片部形成部とし、ブランクシートの下辺と第４横線の間を他方の翼片部形成部とし、
第２横線と第３横線の間で第１縦線と第２縦線で囲まれた部分を底壁形成部とし、第２横線と第３横線の間でブランクシートの左辺と第１縦線で囲まれた部分と、ブランクシートの右辺と第２縦線で囲まれた部分を、それぞれ翼片部を有しない一対の周壁形成部とし、
第１横線と第２横線の間で、第１縦線と第２縦線で囲まれた部分を一方の翼片部を有する一方の周壁の内面形成部とし、ブランクシートの左辺と第１縦線で囲まれた部分およびブランクシートの右辺と第２縦線で囲まれた部分を上記一方の周壁の外面形成部とし、
第３横線と第４横線の間で、第１縦線と第２縦線で囲まれた部分を他方の翼片部を有する他方の周壁の内面形成部とし、ブランクシートの左辺と第１縦線で囲まれた部分およびブランクシートの右辺と第２縦線で囲まれた部分を上記他方の周壁の外面形成部とし、
前記一方の周壁の外面形成部には、第１横線の左端から第２横線と第１縦線の交点に向かう対角線に沿った折り線、第１横線の右端から第２横線と第２縦線の交点に向かう対角線に沿った折り線を形成し、
前記他方の周壁の外面形成部には、第４横線の左端から第３横線と第１縦線の交点に向かう対角線に沿った折り線、第４横線の右端から第３横線と第２縦線の交点に向かう対角線に沿った折り線を形成し、
前記翼片部を有しない一対の周壁形成部にはクロス状に２本の対角折線を形成してなることを特徴とする。
請求項３の発明では、
前記折畳式紙器の内面に相当するブランクシートの少なくとも一側が、耐水性又は耐油性を有することを特徴とする。
【発明の効果】
【０００６】
この発明の折畳式紙器は、一枚の四角い紙を折るだけで、接着テープなどを要さずに紙器を完成することができると共に、紙器の外方へ延びる一対の翼片部を有しているので、収納容器の仕切壁や外周壁をカバーすることができ、溶剤の収納容器への付着を防止することができる。
また、折畳乃至展開を容易に行うことができるので、収納の省スペース化が図れ、また収納容器へのセットも容易に行うことができ利便性が高い。
【図面の簡単な説明】
【０００７】
【図１】折畳式紙器のブランクシートの展開図である。
【図２】折畳式紙器を収納容器の小間に嵌め込んで使用する状態を示す分解斜視図である。
【図３】折畳式紙器の折り方を示す第１手順の図である。
【図４】折畳式紙器の折り方を示す第２手順の図である。
【図５】折畳式紙器の折り方を示す第３手順の図である。
【図６】折畳式紙器の折り方を示す第４手順の図である。
【図７】折畳式紙器の折り方を示す第５手順の図である。
【図８】折畳式紙器の折り方を示す第６手順の図である。
【図９】折畳式紙器の折り方を示す第７手順の図である。
【図１０】折畳式紙器の折り方を示す第８手順の図である。
【図１１】折畳式紙器の折り方を示す第９手順の図である。
【図１２】（ａ）は折畳式紙器の折畳状態を示す正面図、（ｂ）は背面図である。
【図１３】折畳式紙器の折畳から展開途中を示す斜視図である。
【図１４】折畳式紙器が展開されて完成した状態を示す斜視図である。
【図１５】折畳式紙器の使用状態を説明する模式図である。
【図１６】従来の簡易折畳紙器のブランクシートの展開図である。
【図１７】（ａ）は従来の簡易紙器の拡大斜視図、（ｂ）は簡易紙器を小間内に収納して使用する収納容器の斜視図である。
【発明を実施するための形態】
【０００８】
以下に、この発明の折畳式紙器の好適実施例について図面を参照しながら説明する。
【実施例１】
【０００９】
本実施例の折畳式紙器１は、図１に展開図を示すように、１枚の四角形（図示例では長方形）のブランクシート１’を折って成形される。
このブランクシート１’は、紙器内面となる一側面にシリコンを塗布したグラシン紙を用いているが、耐水性、耐油性を有する紙、合成紙、樹脂層を被覆した紙など公知の紙類を用いることができる。
【００１０】
このブランクシート１’には、図１に点線で示すように、予め折り目を付けておくことが好ましい。
そして、上記ブランクシート１’を上記折り目に沿って折ることで、上面が開口した箱形の折畳式紙器１を成形することができる。
【００１１】
ここで、ブランクシート１’は外周を形成する上辺１ａ’、下辺１ｂ’、右辺１ｃ’、左辺１ｄ’を有している。
折り目は、ブランクシート１’を横方向に３つに分ける２本の縦線として、図中左から第１縦線Ｙ１と、第２縦線Ｙ２とが設けられる。
また、ブランクシート１’を縦方向に５つに分ける４本の横線として、図中上から第１横線Ｘ１と、第２横線Ｘ２と、第３横線Ｘ３と、第４横線Ｘ４とが設けられる。
【００１２】
そして、ブランクシート１’の上辺１ａ’と第１横線Ｘ１の間を第２翼片部形成部Ｈ２とし、ブランクシート１’の下辺１ｂ’と第４横線Ｘ４の間を第１翼片部形成部Ｈ１とする。
また、第２横線Ｘ２と第３横線Ｘ３の間で第１縦線Ｙ１と第２縦線Ｙ２で囲まれた部分を底壁形成部Ｈ３とする。
【００１３】
前記第２横線Ｘ２と第３横線Ｘ３の間で、ブランクシート１’の左辺１ｄ’と第１縦線Ｙ１で囲まれた部分と、ブランクシート１’の右辺１ｃ’と第２縦線Ｙ２で囲まれた部分を、それぞれ翼片部を有しない第３周壁形成部Ｈ４および第４周壁形成部Ｈ５とする。
【００１４】
また、第１横線Ｘ１と第２横線Ｘ２の間で、第１縦線Ｙ１と第２縦線Ｙ２で囲まれた部分を第２翼片部を有する第２周壁の内面形成部Ｈ７ａとし、ブランクシート１’の左辺１ｄ’と第１縦線Ｙ１で囲まれた部分およびブランクシート１’の右辺１ｃ’と第２縦線Ｙ２で囲まれた部分を上記第２周壁の外面形成部Ｈ７ｂとする。
【００１５】
また、第３横線Ｘ３と第４横線Ｘ４の間で、第１縦線Ｙ１と第２縦線Ｙ２で囲まれた部分を第１翼片部を有する第１周壁の内面形成部Ｈ６ａとし、ブランクシート１’の左辺１ｄ’と第１縦線Ｙ１で囲まれた部分およびブランクシート１’の右辺１ｃ’と第２縦線Ｙ２で囲まれた部分を上記第１周壁の外面形成部Ｈ６ｂとしている。
【００１６】
そして、前記第２周壁の外周形成面Ｈ７ｂには、第１横線Ｙ１の左端から第２横線Ｘ２と第１縦線Ｙ２の交点に向かう対角線に沿った第１対角折線Ｚ１が形成され、第１横線Ｘ１の右端から第２横線Ｘ２と第２縦線Ｙ２の交点に向かう対角線に沿った第２対角折線Ｚ２が形成される。、
【００１７】
同様に、第１周壁の外面形成部Ｈ６ｂには、第４横線Ｘ４の左端から第３横線Ｘ３と第１縦線Ｙ１の交点に向かう対角線に沿った第５対角折線Ｚ５が形成され、第４横線Ｘ４の右端から第３横線Ｚ３と第２縦線Ｙ２の交点に向かう対角線に沿った第６対角折線Ｚ６が形成される。
更に、翼片部を有しない第３側壁形成部Ｈ４にはクロス状の対角線に沿った２本の第３対角折線Ｚ３ａとＺ３ｂを形成し、第４側壁形成部Ｈ５にはにはクロス状の対角線に沿った２本の第４対角折線Ｚ４ａとＺ４ｂを形成している。
【００１８】
以下に、図３から図１２を参照しながら、ブランクシート１’から折畳式紙器１を成形する折り方の一例について説明する。
まず、第２横線Ｘ２に沿って図中上側の片を下側の片に重なるように２つに折り曲げる（図３参照）。
【００１９】
次いで、図示しないが第１縦線Ｙ１に沿って図中左側の片を右側の片に重なるように一旦折り曲げ、次いで、第１縦線Ｙ１が中心線になるように外側の片（Ｘ２とＹ１と底辺１ｂ’と左辺１ｄ’とで囲まれた片）を図中左に開くと、上部が第１対角折線Ｚ１と第３ｂ対角折線Ｚ３ｂに沿って折れ、山形状となる（図４参照）。
【００２０】
右側も同様に、第２縦線Ｙ２に沿って図中右側の片を左側の片に重なるように一旦折り曲げ、次いで、第２縦線Ｙ２が中心線になるように外側の片（Ｘ２とＹ２と底辺１ｂ’と右辺１ｃ’とで囲まれた片）を右に開くと、上部が第２対角折線Ｚ２と第４ｂ対角折線Ｚ４ｂに沿って折れ、前記左側の山形状の片の上に重なって山形状となる（図５参照）。
【００２１】
次いで、前記山形状の片の下に第１縦線Ｙ１と第２縦線Ｙ２に沿って３つに折り重ねられた片（第２翼片部形成部Ｈ２）を第１横線Ｘ１に沿って上に折り曲げる（図６参照）。
【００２２】
この折り畳まれた状態で、まず、第３横線Ｘ３に沿って、下側の片を上に重ねるように谷折りする（図７参照）
次いで、第１縦線Ｙ１に沿って左側の片を右側に折り返す。
これにより前記第２横線Ｘ２より上部の片で形成された左側の山形の左半分が折り返されて下段に表れる（図８参照）。                     
【００２３】
そして、前記折り返された片の山形の左半分を第１縦線Ｙ１の左側に開くと、第５対角折線Ｚ５と第３ａ対角折線Ｚ３ａに沿って折られて、前記左半分の山形の片が更に半分に折られて左横向きの三角形状が外方へ突出するような斜めの梯形状に展開する（図９参照）。
【００２４】
次に、第２横線Ｙ２に沿って右側の片を左に折り曲げると、前記上部の片で形成された右側の山形の右半分が折り返される（図１０参照）。
そして、前記と同様に折り返された片を第２縦線Ｙ２の右側に開くと、第６対角折線Ｚ６と第４ａ対角折線Ｚ４ａに沿って前記右半分の山形の片が更に半分に折られて右横向きの三角形状が外方へ突出するような斜めの梯形状に展開する（図１１参照）。
【００２５】
次いで、上部に突出した３つ折りされた片（第１翼片部形成部Ｈ１）を第４横線Ｘ４に沿って下に折り曲げることで図１２（ａ）（ｂ）に示す折畳式紙器１の折畳状態が完成される。
このように折られた折畳式紙器１は、上面２が開口し底壁３と、該底壁３を囲む４つの周壁４〜７からなる立方体又は直方体状の容器本体２が接着テープを用いることなく折り方だけで完成することができる。
【００２６】
更に、上記容器本体２には、該容器本体２の対向する周壁（本実施例では第１周壁４と第２周壁６とする）には、該周壁４、６の上端で折れ曲がって外方へ延びる第１及び第２翼片部８、９が一体に形成され、第３周壁５及び第４周壁７には翼片部が形成されない。
【００２７】
そして、図１２に示した折畳式紙器１の折畳時には、第２翼片部９が形成された第３周壁６を容器本体２の底壁３の面と重なるように９０度折り曲げて押し込まれており、第３周壁６と隣接する第２、第４周壁５、７を前記底壁３の外側に三角形状に突出するように２つ折りし、第１翼片部８が形成された第１周壁４を前記底壁３に折畳まれた第３周壁６と重ねて扁平な折畳姿勢となっているので、収納に際して省スペースを図ることができる。
【００２８】
また、折畳式紙器１を箱形に組み立てる際には、第１翼片部８を引っ張って第１周壁４を底壁３上から枢動して離間させ、次いで底壁３上に重なった第２翼片部９を引っ張っり起こして第３周壁６を底壁３に対して９０度引き上げる。
これに連動して、第２周壁５および第４周壁７が平面状に展開されて箱形を完成する（図１２〜図１４参照）。
【００２９】
この容器本体２は、収納容器１０の多数の仕切られた小間内に嵌合され、上部の第１翼片部８と第２翼片部９とは、図２及び図１５に示すように、前記収納容器１０の仕切壁１１や外周壁１２を覆うように適宜向きを変え、あるいは同じ向きに揃えて容器本体を小間内に嵌合して取り付けられる。
これにより、溶液や接着材を仮保管する際に、これらが仕切壁や外周壁にたれても、前記翼片部８，９がこれらを覆っているので、収納容器１０を全く汚すことがなく、作業の効率化を図ることができる。
【００３０】
この発明の折畳式紙器の折り方は上下、左右の順序を逆にしてもよい。
また、この発明は上記実施例に限定されるものではなく、要するに、この発明の要旨を変更しない範囲で種々設計変更しうること勿論である。
【符号の説明】
【００３１】
１    折畳式紙器
１’  ブランクシート
１ａ’ブランクシートの上辺
１ｂ  ブランクシートの下辺
１ｃ’ブランクシートの右辺
１ｄ’ブランクシートの左辺
２    容器本体
３    底壁
３’  底壁形成部
４    第１周壁
４’  第１周壁形成部
４ａ  第１周壁内面
４ａ’第１周壁内面形成部
４ｂ  第１周壁外面
４ｂ’第１周壁外面形成部
５    第２周壁
５’  第２周壁形成部
６    第３周壁
６’  第３周壁形成部
６ａ  第３周壁内面
６ａ’第３周壁内面形成部
６ｂ  第３周壁外面
６ｂ’第３周壁内面形成部
７    第４周壁
７’  第４周壁形成部
８    第１翼片部
８’  第１翼片部形成部
９    第２翼片部
９’  第２翼片部形成部
１０    収納容器
１１    外壁
１２    仕切壁
１３    小間
Ｈ１    第１翼片部形成部
Ｈ２    第２翼片部形成部
Ｈ３    底壁形成部
Ｈ４    第３周壁形成部
Ｈ５    第４周壁形成部
Ｈ６ａ  第１周壁の内面形成部
Ｈ６ｂ  第１周壁の外面形成部
Ｈ７ａ  第２周壁の内面形成部
Ｈ７ｂ  第２周壁の外面形成部
Ｘ１〜Ｘ４  第１〜第４横線
Ｙ１〜Ｙ２  第１〜第２縦線
Ｚ１〜Ｚ６  第１〜第６対角折線
【図１】
0005547978.tif 000002
【図２】
0005547978.tif 000003
【図３】
0005547978.tif 000004
【図４】
0005547978.tif 000005
【図５】
0005547978.tif 000006
【図６】
0005547978.tif 000007
【図７】
0005547978.tif 000008
【図８】
0005547978.tif 000009
【図９】
0005547978.tif 000010
【図１０】
0005547978.tif 000011
【図１１】
0005547978.tif 000012
【図１２】
0005547978.tif 000013
【図１３】
0005547978.tif 000014
【図１４】
0005547978.tif 000015
【図１５】
0005547978.tif 000016
【図１６】
0005547978.tif 000017
【図１７】
0005547978.tif 000018